【手続補正書】
【提出日】平成28年10月24日(2016.10.24)
【手続補正１】
【補正対象書類名】特許請求の範囲
【補正対象項目名】全文
【補正方法】変更
【補正の内容】
【特許請求の範囲】
【請求項１】
ネットワーク・デバイスを登録する方法であって、
マスタ・デバイスへ結合された複数のスレーブ・デバイスのうちのそれぞれのスレーブ・デバイスにおいて、
前記マスタ・デバイスからビーコン・メッセージを受信することと、前記ビーコン・メッセージは、アップストリーム・タイム・スロット、ダウンストリーム・タイム・スロット、および競争ベースのタイム・スロットを規定する、
競争ベースのタイム・スロットの間、前記マスタ・デバイスへ関連付け要求を送信することと、
第１のダウンストリーム・タイム・スロットの間、前記マスタ・デバイスから関連付け応答を受信することと、
前記関連付け応答を受信することに応答して、アップストリーム・タイム・スロットの間、前記マスタ・デバイスへ認証要求を送信することと、
第２のダウンストリーム・タイム・スロットの間、前記マスタ・デバイスから認証応答を受信することと、を備える方法。
【請求項２】
前記関連付け応答は、前記それぞれのスレーブ・デバイスのための識別子を規定する、請求項１に記載の方法。
【請求項３】
前記ビーコン・メッセージを受信することは、
前記競争ベースのタイム・スロットを規定する第１のビーコン・メッセージを受信することと、
前記アップストリーム・タイム・スロットを前記それぞれのスレーブ・デバイスへ割り当てる第２のビーコン・メッセージを受信することと、ここにおいて、前記第２のビーコン・メッセージは、前記アップストリーム・タイム・スロットを前記それぞれのスレーブ・デバイスのための前記識別子と関連付ける、を備える、請求項２に記載の方法。
【請求項４】
前記認証応答は、前記それぞれのスレーブ・デバイスへセキュリティ・キーを提供する、請求項１に記載の方法。
【請求項５】
前記競争ベースのタイム・スロットの間、前記マスタ・デバイスから前記関連付け要求の肯定応答を受信することをさらに備える、請求項１に記載の方法。
【請求項６】
前記関連付け要求を送信した後、規定された時間期間の間、前記マスタ・デバイスから前記関連付け要求の肯定応答を受信しないことと、
前記規定された時間期間の間、前記肯定応答を受信しないことに応答して、前記競争ベースのタイム・スロットの間、前記関連付け要求を再送信することと、をさらに備える、請求項１に記載の方法。
【請求項７】
前記関連付け要求、前記関連付け応答、前記認証要求、および前記認証応答は、各々マネージメント・メッセージ・エントリ（ＭＭＥ）を備える、請求項１に記載の方法。
【請求項８】
前記ビーコン・メッセージは、それぞれのビーコン期間の間受信され、
前記関連付け要求を送信すること、前記関連付け応答を受信すること、前記認証要求を送信すること、前記認証応答を受信することは、連続するビーコン期間の間実行される、請求項１に記載の方法。
【請求項９】
前記認証応答を受信することに応答して、サウンディングのための帯域幅を要求するメッセージを前記マスタ・デバイスへ送信することと、
前記それぞれのスレーブ・デバイスおよび前記マスタ・デバイスの間の通信のためのトーン・マップを生成するために、前記要求された帯域幅を使用して、前記サウンディングを実行することと、をさらに備える、請求項１に記載の方法。
【請求項１０】
前記認証要求が送信される前記アップストリーム・タイム・スロットは、第１のアップストリーム・タイム・スロットであり、
前記サウンディングを実行することは、第２のアップストリーム・タイム・スロットの間、前記マスタ・デバイスへ既知のデータを送信することを備える、請求項９に記載の方法。
【請求項１１】
前記サウンディングを実行することは、第３のダウンストリーム・タイム・スロットの間、前記マスタ・デバイスから既知のデータを受信することをさらに備える、請求項１０に記載の方法。
【請求項１２】
前記ビーコン・メッセージは、それぞれのビーコン期間の間、受信され、
前記サウンディングは、サウンディングのための帯域幅を要求する前記メッセージを前記マスタ・デバイスへ送信することの後に、次の利用可能なビーコン期間において実行される、請求項９に記載の方法。
【請求項１３】
前記競争ベースのタイム・スロットの間、前記マスタ・デバイスへ前記関連付け要求を送信することは、キャリア検知多重アクセス（ＣＳＭＡ）プロトコルに従って実行される、請求項１に記載の方法。
【請求項１４】
スレーブ・デバイスであって、
マスタ・デバイスに信号を送信し、マスタ・デバイスから信号を受信するための物理レイヤ・デバイス（ＰＨＹ）と、前記受信された信号は、アップストリーム・タイム・スロット、ダウンストリーム・タイム・スロット、および競争ベースのタイム・スロットを規定するビーコン・メッセージを含み、
１つまたは複数のプロセッサと、
前記１つまたは複数のプロセッサによって実行されるとき、前記スレーブ・デバイスに、
競争ベースのタイム・スロットの間、前記マスタ・デバイスへ関連付け要求を送信することと、
第１のダウンストリーム・タイム・スロットの間、前記マスタ・デバイスから受信された関連付け応答を処理することと、
前記関連付け応答を受信することに応答して、アップストリーム・タイム・スロットの間、前記マスタ・デバイスへ認証要求を送信することと、
第２のダウンストリーム・タイム・スロットの間、前記マスタ・デバイスから受信された認証応答を処理することと、
をさせる命令を記憶するメモリと、を備える、スレーブ・デバイス。
【請求項１５】
前記メモリは、前記１つまたは複数のプロセッサによって実行されるとき、前記スレーブ・デバイスに、
サウンディングのための帯域幅を要求するメッセージを前記マスタ・デバイスへ送信することと、
前記それぞれのスレーブ・デバイスおよび前記マスタ・デバイスの間の通信のためのトーン・マップを生成するために、前記要求された帯域幅を使用して、前記サウンディングを実行することと、をさせる命令をさらに記憶する、請求項１４に記載のスレーブ・デバイス。
【請求項１６】
複数のスレーブ・デバイスへ結合されたマスタ・デバイスにおいて、
アップストリーム・タイム・スロット、ダウンストリーム・タイム・スロット、および競争ベースのタイム・スロットを規定するビーコン・メッセージを送信することと、
競争ベースのタイム・スロットの間、それぞれのスレーブ・デバイスから関連付け要求を受信することと、
前記関連付け要求に応答して、第１のダウンストリーム・タイム・スロットの間、前記それぞれのスレーブ・デバイスへ関連付け応答を送信することと、
アップストリーム・タイム・スロットの間、前記それぞれのスレーブ・デバイスから認証要求を受信することと、
前記認証要求に応答して、第２のダウンストリーム・タイム・スロットの間、前記それぞれのスレーブ・デバイスへ認証応答を送信することと、を備える、ネットワーク・デバイスを登録する方法。
【請求項１７】
前記認証応答を送信した後、および前記それぞれのスレーブ・デバイスへの送信のためのデータの到着前に、サウンディングを実行するための帯域幅を前記それぞれのスレーブ・デバイスへ割り振ることと、
前記それぞれのスレーブ・デバイスおよび前記マスタ・デバイスの間の通信のためのトーン・マップを生成するために、前記割り振られた帯域幅を使用して前記サウンディングを実行することと、をさらに備える、請求項１６に記載の方法。
【請求項１８】
マスタ・デバイスであって、
複数のスレーブ・デバイスへ信号を送信し、複数のスレーブ・デバイスから信号を受信するための物理レイヤ・デバイス（ＰＨＹ）と、
１つまたは複数のプロセッサと、
前記１つまたは複数のプロセッサによって実行されるとき、前記マスタ・デバイスに、
アップストリーム・タイム・スロット、ダウンストリーム・タイム・スロット、および競争ベースのタイム・スロットを規定するビーコン・メッセージを送信することと、
競争ベースのタイム・スロットの間、それぞれのスレーブ・デバイスから受信された関連付け要求を処理することと、
前記関連付け要求に応答して、第１のダウンストリーム・タイム・スロットの間、前記それぞれのスレーブ・デバイスへ関連付け応答を送信することと、
アップストリーム・タイム・スロットの間、前記それぞれのスレーブ・デバイスから受信された認証要求を処理することと、
前記認証要求に応答して、第２のダウンストリーム・タイム・スロットの間、前記それぞれのスレーブ・デバイスへ認証応答を送信することと、
をさせる命令を記憶するメモリと、を備える、マスタ・デバイス。
【請求項１９】
前記メモリは、前記１つまたは複数のプロセッサによって実行されるとき、前記マスタ・デバイスに、
前記認証応答を送信した後、および前記それぞれのスレーブ・デバイスへの送信のためのデータの到着の前に、サウンディングを実行するための帯域幅を前記それぞれのスレーブ・デバイスに割り振ることと、
前記それぞれのスレーブ・デバイスおよび前記マスタ・デバイスの間の通信のためのトーン・マップを生成するために、前記割り振られた帯域幅を使用して、前記サウンディングを実行することと、をさせる命令をさらに記憶する、請求項１８に記載のマスタ・デバイス。
【請求項２０】
システムであって、
複数のスレーブ・デバイスへ結合されたマスタ・デバイスを備え、
前記マスタ・デバイスは、
アップストリーム・タイム・スロット、ダウンストリーム・タイム・スロット、および競争ベースのタイム・スロットを規定するビーコン・メッセージを送信し、
それぞれのスレーブ・デバイスからの関連付け要求に応答して、第１のダウンストリーム・タイム・スロットの間、前記それぞれのスレーブ・デバイスへ関連付け応答を送信し、
前記それぞれのスレーブ・デバイスからの認証要求に応答して、第２のダウンストリーム・タイム・スロットの間、前記それぞれのスレーブ・デバイスへ認証応答を送信するように構成され、
前記それぞれのスレーブ・デバイスは、
競争ベースのタイム・スロットの間、前記関連付け要求を送信し、
アップストリーム・タイム・スロットの間、前記認証要求を送信するように構成される、システム。
【請求項２１】
前記それぞれのスレーブ・デバイスは、前記認証応答を受信することに応答して、サウンディングのための帯域幅を要求するメッセージを前記マスタ・デバイスへ送信するようにさらに構成され、
前記マスタ・デバイスは、前記サウンディングのための帯域幅を要求する前記メッセージに応答して、前記サウンディングのための帯域幅を割り振るようにさらに構成される、請求項２０に記載のシステム。
【手続補正２】
【補正対象書類名】明細書
【補正対象項目名】００６３
【補正方法】変更
【補正の内容】
【００６３】
[0066]前述の明細書では、本実施形態は、その特定の例示的な実施形態に関して説明された。しかしながら、添付の特許請求の範囲において説明されるように、開示の範囲および広い趣旨から逸脱することなく、そのことに多様な修正および変更がなされ得ることは明白であろう。したがって、本明細書および図面は、限定的な意味ではなく、例示的な意味において考慮されるべきである。
以下に本願発明の当初の特許請求の範囲に記載された発明を付記する。
［Ｃ１］
ネットワーク・デバイスを登録する方法であって、
マスタ・デバイスへ結合された複数のスレーブ・デバイスのうちのそれぞれのスレーブ・デバイスにおいて、
前記マスタ・デバイスからビーコン・メッセージを受信することと、前記ビーコン・メッセージは、アップストリーム・タイム・スロット、ダウンストリーム・タイム・スロット、および競争ベースのタイム・スロットを規定する、
競争ベースのタイム・スロットの間、前記マスタ・デバイスへ関連付け要求を送信することと、
第１のダウンストリーム・タイム・スロットの間、前記マスタ・デバイスから関連付け応答を受信することと、
前記関連付け応答を受信することに応答して、アップストリーム・タイム・スロットの間、前記マスタ・デバイスへ認証要求を送信することと、
第２のダウンストリーム・タイム・スロットの間、前記マスタ・デバイスから認証応答を受信することと、を備える方法。
［Ｃ２］
前記関連付け応答は、前記それぞれのスレーブ・デバイスのための識別子を規定する、Ｃ１に記載の方法。
［Ｃ３］
前記ビーコン・メッセージを受信することは、
前記競争ベースのタイム・スロットを規定する第１のビーコン・メッセージを受信することと、
前記アップストリーム・タイム・スロットを前記それぞれのスレーブ・デバイスへ割り当てる第２のビーコン・メッセージを受信することと、ここにおいて、前記第２のビーコン・メッセージは、前記アップストリーム・タイム・スロットを前記それぞれのスレーブ・デバイスのための前記識別子と関連付ける、を備える、Ｃ２に記載の方法。
［Ｃ４］
前記認証応答は、前記それぞれのスレーブ・デバイスへセキュリティ・キーを提供する、Ｃ１に記載の方法。
［Ｃ５］
前記競争ベースのタイム・スロットの間、前記マスタ・デバイスから前記関連付け要求の肯定応答を受信することをさらに備える、Ｃ１に記載の方法。
［Ｃ６］
前記関連付け要求を送信した後、規定された時間期間の間、前記マスタ・デバイスから前記関連付け要求の肯定応答を受信しないことと、
前記規定された時間期間の間、前記肯定応答を受信しないことに応答して、前記競争ベースのタイム・スロットの間、前記関連付け要求を再送信することと、をさらに備える、Ｃ１に記載の方法。
［Ｃ７］
前記関連付け要求、前記関連付け応答、前記認証要求、および前記認証応答は、各々マネージメント・メッセージ・エントリ（ＭＭＥ）を備える、Ｃ１に記載の方法。
［Ｃ８］
前記ビーコン・メッセージは、それぞれのビーコン期間の間受信され、
前記関連付け要求を送信すること、前記関連付け応答を受信すること、前記認証要求を送信すること、前記認証応答を受信することは、連続するビーコン期間の間実行される、Ｃ１に記載の方法。
［Ｃ９］
前記認証応答を受信することに応答して、サウンディングのための帯域幅を要求するメッセージを前記マスタ・デバイスへ送信することと、
前記それぞれのスレーブ・デバイスおよび前記マスタ・デバイスの間の通信のためのトーン・マップを生成するために、前記要求された帯域幅を使用して、前記サウンディングを実行することと、をさらに備える、Ｃ１に記載の方法。
［Ｃ１０］
前記認証要求が送信される前記アップストリーム・タイム・スロットは、第１のアップストリーム・タイム・スロットであり、
前記サウンディングを実行することは、第２のアップストリーム・タイム・スロットの間、前記マスタ・デバイスへ既知のデータを送信することを備える、Ｃ９に記載の方法。
［Ｃ１１］
前記サウンディングを実行することは、第３のダウンストリーム・タイム・スロットの間、前記マスタ・デバイスから既知のデータを受信することをさらに備える、Ｃ１０に記載の方法。
［Ｃ１２］
前記ビーコン・メッセージは、それぞれのビーコン期間の間、受信され、
前記サウンディングは、サウンディングのための帯域幅を要求する前記メッセージを前記マスタ・デバイスへ送信することの後に、次の利用可能なビーコン期間において実行される、Ｃ９に記載の方法。
［Ｃ１３］
競争ベースのタイム・スロットの間、前記マスタ・デバイスへ前記関連付け要求を送信することは、キャリア検知多重アクセス（ＣＳＭＡ）プロトコルに従って実行される、Ｃ１に記載の方法。
［Ｃ１４］
スレーブ・デバイスであって、
マスタ・デバイスに信号を送信し、マスタ・デバイスから信号を受信するための物理レイヤ・デバイス（ＰＨＹ）と、前記受信された信号は、アップストリーム・タイム・スロット、ダウンストリーム・タイム・スロット、および競争ベースのタイム・スロットを規定するビーコン・メッセージを含み、
１つまたは複数のプロセッサと、
前記１つまたは複数のプロセッサによって実行されるとき、前記スレーブ・デバイスに、
競争ベースのタイム・スロットの間、前記マスタ・デバイスへ関連付け要求を送信することと、
第１のダウンストリーム・タイム・スロットの間、前記マスタ・デバイスから受信された関連付け応答を処理することと、
前記関連付け応答を受信することに応答して、アップストリーム・タイム・スロットの間、前記マスタ・デバイスへ認証要求を送信することと、
第２のダウンストリーム・タイム・スロットの間、前記マスタ・デバイスから受信された認証応答を処理することと、
をさせる命令を記憶するメモリと、を備える、スレーブ・デバイス。
［Ｃ１５］
前記メモリは、前記１つまたは複数のプロセッサによって実行されるとき、前記スレーブ・デバイスに、
サウンディングのための帯域幅を要求するメッセージを前記マスタ・デバイスへ送信することと、
前記それぞれのスレーブ・デバイスおよび前記マスタ・デバイスの間の通信のためのトーン・マップを生成するために、前記要求された帯域幅を使用して、前記サウンディングを実行することと、をさせる命令をさらに記憶する、Ｃ１４に記載のスレーブ・デバイス。
［Ｃ１６］
複数のスレーブ・デバイスへ結合されたマスタ・デバイスにおいて、
アップストリーム・タイム・スロット、ダウンストリーム・タイム・スロット、および競争ベースのタイム・スロットを規定するビーコン・メッセージを送信することと、
競争ベースのタイム・スロットの間、それぞれのスレーブ・デバイスから関連付け要求を受信することと、
前記関連付け要求に応答して、第１のダウンストリーム・タイム・スロットの間、前記それぞれのスレーブ・デバイスへ関連付け応答を送信することと、
アップストリーム・タイム・スロットの間、前記それぞれのスレーブ・デバイスから認証要求を受信することと、
前記認証要求に応答して、第２のダウンストリーム・タイム・スロットの間、前記それぞれのスレーブ・デバイスへ認証応答を送信することと、を備える、ネットワーク・デバイスを登録する方法。
［Ｃ１７］
前記認証応答を送信した後、および前記それぞれのスレーブ・デバイスへの送信のためのデータの到着前に、サウンディングを実行するための帯域幅を前記それぞれのスレーブ・デバイスへ割り振ることと、
前記それぞれのスレーブ・デバイスおよび前記マスタ・デバイスの間の通信のためのトーン・マップを生成するために、前記割り振られた帯域幅を使用して前記サウンディングを実行することと、をさらに備える、Ｃ１６に記載の方法。
［Ｃ１８］
マスタ・デバイスであって、
複数のスレーブ・デバイスへ信号を送信し、複数のスレーブ・デバイスから信号を受信するための物理レイヤ・デバイス（ＰＨＹ）と、
１つまたは複数のプロセッサと、
前記１つまたは複数のプロセッサによって実行されるとき、前記マスタ・デバイスに、
アップストリーム・タイム・スロット、ダウンストリーム・タイム・スロット、および競争ベースのタイム・スロットを規定するビーコン・メッセージを送信することと、
競争ベースのタイム・スロットの間、それぞれのスレーブ・デバイスから受信された関連付け要求を処理することと、
前記関連付け要求に応答して、第１のダウンストリーム・タイム・スロットの間、前記それぞれのスレーブ・デバイスへ関連付け応答を送信することと、
アップストリーム・タイム・スロットの間、前記それぞれのスレーブ・デバイスから受信された認証要求を処理することと、
前記認証要求に応答して、第２のダウンストリーム・タイム・スロットの間、前記それぞれのスレーブ・デバイスへ認証応答を送信することと、
をさせる命令を記憶するメモリと、を備える、マスタ・デバイス。
［Ｃ１９］
前記メモリは、前記１つまたは複数のプロセッサによって実行されるとき、前記マスタ・デバイスに、
前記認証応答を送信した後、および前記それぞれのスレーブ・デバイスへの送信のためのデータの到着の前に、サウンディングを実行するための帯域幅を前記それぞれのスレーブ・デバイスに割り振ることと、
前記それぞれのスレーブ・デバイスおよび前記マスタ・デバイスの間の通信のためのトーン・マップを生成するために、前記割り振られた帯域幅を使用して、前記サウンディングを実行することと、をさせる命令をさらに記憶する、Ｃ１８に記載のマスタ・デバイス。
［Ｃ２０］
システムであって、
複数のスレーブ・デバイスへ結合されたマスタ・デバイスを備え、
前記マスタ・デバイスは、
アップストリーム・タイム・スロット、ダウンストリーム・タイム・スロット、および競争ベースのタイム・スロットを規定するビーコン・メッセージを送信し、
それぞれのスレーブ・デバイスからの関連付け要求に応答して、第１のダウンストリーム・タイム・スロットの間、前記それぞれのスレーブ・デバイスへ関連付け応答を送信し、
前記それぞれのスレーブ・デバイスからの認証要求に応答して、第２のダウンストリーム・タイム・スロットの間、前記それぞれのスレーブ・デバイスへ認証応答を送信するように構成され、
前記それぞれのスレーブ・デバイスは、
競争ベースのタイム・スロットの間、前記関連付け要求を送信し、
アップストリーム・タイム・スロットの間、前記認証要求を送信するように構成される、システム。
［Ｃ２１］
前記それぞれのスレーブ・デバイスは、前記認証応答を受信することに応答して、サウンディングのための帯域幅を要求するメッセージを前記マスタ・デバイスへ送信するようにさらに構成され、
前記マスタ・デバイスは、前記サウンディングのための帯域幅を要求する前記メッセージに応答して、前記サウンディングのための帯域幅を割りふるようにさらに構成される、Ｃ２０に記載のシステム。